(57)【要約】【課題】デジタルカメラからその特徴量を取得することができない場合であってもベクターイメージをフォトビューアーの表示画面に適切に表示することができる。【解決手段】本発明のフォトビューアー１２においては、基準画像データ抽出手段が基準画像からその特徴量若しくは画素数を抽出し、変換率算出手段が基準画像の特徴量から表示画像９に係る画面解像度に変換するための変換率を算出する。そして、ベクトルデータ抽出手段により得たベクターイメージ７を変換手段により変換して得た変換ベクターイメージ７ｔはディスプレイ５の表示領域９に適切に表示される。【選択図】図４
2011188460.tif 000002
【特許請求の範囲】
【請求項１】
デジタルカメラが撮影した画像を表示させる画像表示制御装置であって、
前記デジタルカメラが第一の設定で撮影した基準画像の画像データに基づいて、前記デジタルカメラの特徴量を抽出する基準画像データ処理手段と、
前記特徴量及び前記表示手段の画素数に基づいて、前記第一の設定で撮影した画像を前記表示手段に表示するための変換率を算出する変換率算出手段と、
前記デジタルカメラの特徴量に基づいて生成されたベクトルデータを取得するベクトルデータ取得手段と、
前記ベクトルデータを前記変換率に応じて変換することで、前記ベクトルデータに対応する画像である変換ベクターイメージを生成し、表示手段に表示させる表示制御手段と、を備える画像表示制御装置。
【請求項２】
前記デジタルカメラが第二の設定で撮影した撮影画像の画像データを取得し、取得した撮影画像の画像データ及び前記表示手段の画素数に基づいた変換撮影画像を生成する変換撮影画像生成手段をさらに備え、
前記表示制御手段は、前記変換ベクターイメージと前記変換撮影画像とを重なるように、前記表示手段に表示させる、請求項１記載の画像表示制御装置。
【請求項３】
前記基準画像の撮影をユーザーに促すための出力を前記デジタルカメラが有する出力装置に行わせるための指示信号、または前記デジタルカメラに前記基準画像の撮影を実行させるための撮影信号を送信する信号送信手段を備える、請求項１または２に記載の画像表示制御装置。
【請求項４】
前記第一の設定は、前記デジタルカメラのすべての有効画素を使用して撮影を行って、前記基準画像を生成するための設定である、請求項１〜３のいずれかに記載の画像表示制御装置。
【請求項５】
前記第一の設定は、前記デジタルカメラのすべての有効画素から所定の間引き率で間引きを行って、前記基準画像を生成するための設定であり、
前記基準画像データ処理手段は、前記基準画像の画素数及び前記間引き率に応じて、前記特徴量を抽出する、請求項１〜３のいずれかに記載の画像表示制御装置。
【請求項６】
前記デジタルカメラの機種を特定する機種特定手段と、
機種毎のデジタルカメラの特徴量を記憶している記憶手段と、
前記機種特定手段により特定された前記デジタルカメラの機種からその特徴量が前記記憶手段に記憶されているか否かを判別する判別手段と、をさらに備え、
前記基準画像データ処理手段は、前記デジタルカメラの特徴量が前記記憶手段に記憶されていないと前記判別手段が判別したとき、前記基準画像の画像データに基づいて、前記デジタルカメラの特徴量を抽出する、請求項１〜５のいずれかに記載の画像表示制御装置。
【請求項７】
前記記憶手段には、前記デジタルカメラの機種、及び前記基準画像データ処理手段が抽出した前記デジタルカメラの特徴量が、互いに対応付けて記憶されることを特徴とする請求項６に記載の画像表示制御装置。
【発明の詳細な説明】
【技術分野】
【０００１】
本発明は、画像表示制御装置に係り、特に、デジタルスチルカメラ等のデジタルカメラにＵＳＢ接続等することによりデジタルカメラが取得した画像を離れた場所でリアルタイムに表示する外部ディスプレイの表示画像においてフォーカス枠などのベクターイメージに係るベクトルデータの位置及び寸法を制御するために好適に利用できる画像表示制御装置に関する。
【背景技術】
【０００２】
一般的に、デジタルスチルカメラやデジタルビデオカメラなどのデジタルカメラに下記特許文献に記載されているようなフォトビューアーを直接接続し、フォトビューアーはデジタルカメラが取得した画像を表示することが望まれていた。またこの表示を参照しながら、デジタルカメラに接続されたフォトビューアーにレリーズ機能などの、フォトビューアーを用いてデジタルカメラから離れた場所でデジタルカメラによる撮影が可能にできるようにすることが望まれていた。
【先行技術文献】
【特許文献】
【０００３】
【特許文献１】特開２００９−１６３５５７号公報
【特許文献２】特開２００６−２７５５４９号公報
【発明の概要】
【発明が解決しようとする課題】
【０００４】
このようなフォトビューアーを実現する場合においては、一般にデジタルカメラが取得した画像データの画素数とフォトビューアーの画面の画素数とが異なるため、画像を表示する際には画素数の調整が必要となる。また、デジタルカメラがリアルタイム画像や撮影画像をフォトビューアーが取得して、表示させる場合、デジタルカメラからフォトビューアーに対して、リアルタイム画像に関する本質的信号だけでなく、デジタルカメラが生成したフォーカス枠などのベクターイメージの基準座標情報、方向情報、寸法情報その他のベクトルデータ並びにリアルタイム画像の拡大又は縮小に関するデータなどの付加的信号も同時に送信される。フォトビューアーは、拡大、等倍又は縮小した取得画像及びフォーカス枠等の変換ベクターイメージを適切に表示するためには、受信した付加的信号を適切に解釈できることが必要となる。
【０００５】
しかしながら、従来の画像表示制御装置においては、デジタルカメラによって仕様が異なり、付加的信号もデジタルカメラのすべての有効画素の数である最大画素数に基づいて作成されることがあることから、一部のデジタルカメラからは最大画素数を取得することができず、付加的信号に基づいてベクターイメージを適切に表示することができない場合があった。
【０００６】
そこで、本発明はこれらの点に鑑みてなされたものであり、フォトビューアーの表示画面により適切に表示することができる画像表示制御装置を提供することを本発明の目的としている。
【課題を解決するための手段】
【０００７】
前述した目的を達成するため、本発明の第１の実施態様に従う画像表示制御装置は、デジタルカメラが撮影した画像を表示させる画像表示制御装置であって、前記デジタルカメラが第一の設定で撮影した基準画像の画像データに基づいて、前記デジタルカメラの特徴量を抽出する基準画像データ処理手段と、前記特徴量及び前記表示手段の画素数に基づいて、前記第一の設定で撮影した画像を前記表示手段に表示するための変換率を算出する変換率算出手段と、前記デジタルカメラの特徴量に基づいて生成されたベクトルデータを取得するベクトルデータ取得手段と、前記ベクトルデータを前記変換率に応じて変換することで、前記ベクトルデータに対応する画像である変換ベクターイメージを生成し、表示手段に表示させる表示制御手段と、を備える。
【０００８】
本発明の第１の態様の画像表示制御装置によれば、基準画像から特徴量を抽出し、その特徴量に基づき変換率を算出するので、デジタルカメラから特徴量を取得できない場合であっても画像表示制御装置の表示手段に変換ベクターイメージを適切に表示することができる。
【０００９】
本発明の第２の態様の画像表示制御装置は、第１の態様の画像表示制御装置において、前記デジタルカメラが第二の設定で撮影した撮影画像の画像データを取得し、取得した撮影画像の画像データ及び前記表示手段の画素数に基づいた変換撮影画像を生成する変換撮影画像生成手段をさらに備え、前記表示制御手段は、前記変換ベクターイメージと前記変換撮影画像とを重なるように、前記表示手段に表示させるようにしてもよい。
【００１０】
本発明の第２の態様の画像表示制御装置によれば、変換ベクターイメージと、第二の設定で撮影した撮影画像を表示手段の画素数に基づいて変換した変換撮影画像とを重ねて表示させることができる。これにより、第二の設定で撮影した撮影画像データ、及び特徴量に基づいて生成されたベクトルデータという、それぞれデジタルカメラにおいて別個に生成されたデータに基づく画像を重ねて表示できる。
【００１１】
本発明の第３の態様の画像表示制御装置は、第１または第２の態様の画像表示制御装置において、前記基準画像の撮影をユーザーに促すための出力を前記デジタルカメラが有する出力装置に行わせるための指示信号、または前記デジタルカメラに前記基準画像の撮影を実行させるための撮影信号を送信する信号送信手段を備えてもよい。
【００１２】
本発明の第３の態様の画像表示制御装置によれば、基準画像をデジタルカメラに自動的に撮影させるか、または、操作者に撮影を促すことができる。
【００１３】
本発明の第４の態様の画像表示制御装置は、第１から第３のいずれか１の態様の画像表示制御装置において、前記第一の設定は、前記デジタルカメラのすべての有効画素を使用して撮影を行って、前記基準画像を生成するための設定であってもよい。
【００１４】
本発明の第４の態様の画像表示制御装置によれば、有効画素をすべて使用する第一の設定で撮影された基準画像から直接、特徴量である最大画素数を求めることができる。
【００１５】
本発明の第５の態様の画像表示制御装置は、第１から第３のいずれか１の態様の画像表示制御装置において、前記第一の設定は、前記デジタルカメラのすべての有効画素から所定の間引き率で間引きを行って、前記基準画像を生成するための設定であり、前記基準画像データ処理手段は、前記基準画像の画素数及び前記間引き率に応じて、前記特徴量を抽出するようにしてもよい。
【００１６】
本発明の第５の態様の画像表示制御装置によれば、有効画素から間引きして撮影を行う第一の設定で撮影された基準画像と間引き率から、特徴量である最大画素数を求めることができる。
【００１７】
本発明の第６の態様の画像表示制御装置は、第１から第５のいずれか１の態様の画像表示制御装置において、前記デジタルカメラの機種を特定する機種特定手段と、機種毎のデジタルカメラの特徴量を記憶している記憶手段と、前記機種特定手段により特定された前記デジタルカメラの機種からその特徴量が前記記憶手段に記憶されているか否かを判別する判別手段と、をさらに備え、前記基準画像データ処理手段は、前記デジタルカメラの特徴量が前記記憶手段に記憶されていないと前記判別手段が判別したとき、前記基準画像の画像データに基づいて、前記デジタルカメラの特徴量を抽出するようにしてもよい。
【００１８】
本発明の第６の態様の画像表示制御装置によれば、デジタルカメラの特徴量が記憶手段から取得できたときは、基準画像の撮影を省略することができる。
【００１９】
本発明の第７の態様の画像表示制御装置は、第６の態様の画像表示制御装置において、前記記憶手段には、前記デジタルカメラの機種、及び前記基準画像データ処理手段が抽出した前記デジタルカメラの特徴量が、互いに対応付けて記憶されるようにしてもよい。
【図面の簡単な説明】
【００２０】
【図１】本発明の画像表示制御装置の一実施形態を示す模式図
【図２】本実施形態の画像表示制御装置を示すブロック図
【図３】本実施形態の画像表示制御装置による処理方法を示すフローチャート
【図４】本実施形態の画像表示制御装置の変換率算出手段による変換率の算出及び変換手段による変換のイメージを示すイメージ図
【発明を実施するための形態】
【００２１】
以下、本発明の画像表示制御装置について、その一実施態様としてのフォトビューアーを例にとって説明する。
【００２２】
本実施形態の画像表示制御装置１は、例えば、図１及び図２に示すように、デジタルスチルカメラやデジタルビデオカメラなどのデジタルカメラ１０にＵＳＢケーブル１１等のケーブルを介して接続されるフォトビューアー１２として実現される。
【００２３】
デジタルカメラ１０は、ＣＣＤ（Ｃｈａｒｇｅｄ  Ｃｏｕｐｌｅｄ  Ｄｅｖｉｃｅ）などの撮像素子を用いて画像を撮影する。デジタルカメラ１０は、その機種に応じた特徴量であって撮影時に有効な撮像素子の数（最大画素数、または有効画素数）が予め定められている。
【００２４】
デジタルカメラ１０は、ＵＳＢケーブル１１を介して接続されたフォトビューアー１２などから所定のコマンドを受け付けると、そのコマンドに従って動作する。例えば、デジタルカメラ１０は、印刷条件を設定するコマンド（例えば、データ形式及び画像サイズを指定するコマンド）を受け付けると、それに従って印刷条件を設定する。また、デジタルカメラ１０は、オートフォーカス動作コマンドを受け付けると、それに応じて所定のフォーカス枠内に焦点が合うようにフォーカスを調整し、あるいは撮影コマンドを受け付けると、それに応じてシャッターを切る動作を行う。デジタルカメラ１０は、撮影した画像の画像データ及びフォーカス枠を示すベクターデータをフォトビューアー１２へ出力する。
【００２５】
フォトビューアー１２は、主に、演算装置（例えばＣＰＵ）２、主記憶装置（例えばメモリ（ＲＡＭ））３ａ、周辺機器接続装置（例えばＵＳＢ接続装置）４、表示手段であるディスプレイ（例えばＬＣＤ）５及び補助記憶装置（例えばＨＤＤ）６を備えている。
【００２６】
補助記憶装置３ｂ（記憶手段）には、フォトビューアー１２と接続可能なデジタルカメラの機種別の最大画素数を記憶している。例えば、補助記憶装置３ｂには、デジタルカメラの機種の識別情報などのカメラデータと、各機種の最大画素数とが対応付けられた画素数テーブルファイルが格納されている。
【００２７】
この画素数テーブルファイルは、特別な操作を行わなければ画素数テーブルファイルを人為的に変更することができないように、記憶手段に記憶されていることが好ましい。特別な操作とは、例えば、ＨＤＤ（ハード・ディスク・ドライブ）などの補助記憶装置３ｂを２以上に分割して得たパーティションにおいてシステムファイルの保管用に用いられるパーティションなどの通常操作ではファイルを操作するＰＣのディスプレイに表示されないパーティションに記憶されたテーブルファイルを人為的に確認又は変更するために通常操作では要求されない特殊な操作のことをいう。特別な操作の難易度は、ＰＣ用マウスによるワンクリック程度の極めて容易なものであってもよいし、複雑なものであってもよい。
【００２８】
また、この画素数テーブルに対して、後述する処理により基準画像などから抽出される最大画素数を追加登録することが可能である。
【００２９】
フォトビューアー１２は、演算装置２及び主記憶装置３ａを用いて所定のプログラムを実行することにより、以下に説明する個々の構成要素ないしは機能を実現する。
【００３０】
以下、フォトビューアー１２が行う処理について説明する。
【００３１】
フォトビューアー１２は、図３の処理開始ＳＴＳに示すように、周辺機器接続装置４にＵＳＢケーブル１１を介してデジタルカメラ１０が接続されると、表示画像制御処理を開始する。
【００３２】
フォトビューアー１２は、図３のＳＴ１に示すように、デジタルカメラ１０の最大画素数をデジタルカメラ１０から直接取得しようと試みる。これは、デジタルカメラ１０による基準画像の撮影（ＳＴ５参照）よりも前に行われる。例えば、デジタルカメラ１０が最大画素数に関するデータをデジタルカメラ１０以外の装置に出力するように形成されている場合は、フォトビューアー１２がデジタルカメラ１０からその最大画素数を直接取得することができる（ＳＴ２）。一方、デジタルカメラ１０から最大画素数を直接取得できない場合（ＳＴ１：Ｎｏ）、ＳＴ３へ移行する。
【００３３】
フォトビューアー１２は、図３のＳＴ３に示すように、フォトビューアー１２に接続されたデジタルカメラ１０の機種を特定しようと試みる。例えば、デジタルカメラ１０が機種の特定に関するカメラデータをデジタルカメラ１０以外の装置に出力するように形成されている場合は、フォトビューアー１２はデジタルカメラ１０からそのカメラデータを取得する（ＳＴ３）。一方、デジタルカメラ１０からそのカメラデータを取得できない場合は（ＳＴ３：Ｎｏ）、ＳＴ６へ移行する。
【００３４】
フォトビューアー１２は、図３のＳＴ４、ＳＴ５に示すように、ＳＴ３でカメラデータを取得できた場合は（ＳＴ３：Ｙｅｓ）、取得したカメラデータに対応する最大画素数が補助記憶装置３ｂに記憶されているか否かを判別する。例えば、補助記憶装置３ｂに記憶されている画素数テーブルファイルに、デジタルカメラ１０の機種に対応するカメラデータが登録されている場合、フォトビューアー１２は画素数テーブルファイルを参照してデジタルカメラ１０の最大画素数を特定する（ＳＴ５）。一方、デジタルカメラ１０の機種が画素数テーブルに登録されていない場合は（ＳＴ４：Ｎｏ）、ＳＴ６へ移行する。
【００３５】
フォトビューアー１２は、図３のＳＴ６において、デジタルカメラ１０が撮影すべき基準画像の撮影を補助する撮影補助信号をデジタルカメラ１０へ送信する。基準画像の撮影の補助としては、一例として、デジタルカメラ１０に対して基準画像の撮影を強制的に実行させるための強制撮影信号（コマンド）を送信してもよいし、デジタルカメラ１０に対して基準画像の撮影のための撮影設定を指定する設定信号（コマンド）を送信し、デジタルカメラ１０が受信した設定信号に応じて撮影設定を変更した後にデジタルカメラ１０に設定されている撮影設定に基づいて撮影を行わせる通常撮影信号（コマンド）を送信してもよい。また、フォトビューアー１２又はデジタルカメラ１０が有するディスプレイ（内蔵画像表示制御装置）、スピーカ（音声出力装置）あるいは警告灯などの出力装置を通して、ユーザーに、所定の設定で基準画像の撮影をすることを促すようにしてもよい。
【００３６】
フォトビューアー１２は、図３のＳＴ７、ＳＴ８に示すように、デジタルカメラ１０が第一の設定で撮影した基準画像を取得する（ＳＴ７）。そして、フォトビューアー１２は、基準画像の画像データに基づいて、デジタルカメラ１０の最大画素数を抽出する（ＳＴ８）。
【００３７】
通常、デジタルカメラは、撮影した画像の画像データを保存する際に、非圧縮形式のデータファイル（ＲＡＷデータ）及び圧縮形式のデータファイル（例えばＪＰＥＧ）のいずれか一方または双方を生成する。さらに、各データ形式において、画素数の多さ（間引き率）が異なる、Ｌ（ラージ），Ｍ（ミディアム），およびＳ（スモール）が用意されている。例えば、ＲＡＷ形式については、ＲＡＷ・Ｌ、ＲＡＷ・Ｍ、及びＲＡＷ・Ｓがある。また、ＪＰＥＧ形式については、ＪＰＥＧ・Ｌ、ＪＰＥＧ・Ｍ及びＪＰＥＧ・Ｓがある。いずれの場合もＬ（ラージ）の場合は、すべての有効画素を使用して撮影が行われる。すなわち、Ｌ（ラージ）の場合は間引きが行われない（間引き率０％）。ＲＡＷ及びＪＰＥＧのいずれの場合も、Ｍ（ミディアム）及びＳ（スモール）は画素数の間引きが行われ、Ｓ（スモール）がＭ（ミディアム）よりも間引き率が大きい。
【００３８】
ここで、上述した第一の設定とは、例えば、デジタルカメラ１０のすべての有効画素を使用して撮影を行って、基準画像を生成するための設定であってもよい。つまり、上記の例では、第一の設定は、ＲＡＷ・ＬまたはＪＰＥＧ・Ｌを生成するための設定である。以下、ＲＡＷ・ＬまたはＪＰＥＧ・Ｌを生成するための設定を最大画素モードと呼ぶ。
【００３９】
従って、フォトビューアー１２は、基準画像の撮影の補助（ＳＴ６）においてデジタルカメラ１０へ送信する撮影の補助信号に、最大画素モードへの変更を促す警告を表示させるための信号か、または強制的に最大画素モードへ設定を変更させるための信号を、あわせて送信するようにしてもよい。
【００４０】
また、上述した第一の設定は、デジタルカメラ１０のすべての有効画素から所定の間引き率で間引きを行って、基準画像を生成するための設定（以下、間引き撮影モードと呼ぶ）であってもよい。この場合、フォトビューアー１２は、ＳＴ８において、基準画像の画素数及び基準画像の間引き率に応じて、デジタルカメラ１０の最大画素数を抽出するようにしてもよい。例えば、基準画像は、ＲＡＷ・Ｍ、ＲＡＷ・Ｓ、ＪＰＥＧ・Ｍ及びＪＰＥＧ・Ｓのいずれかで撮影した画像でもよい。
【００４１】
このとき、ＲＡＷ・Ｍ、ＲＡＷ・Ｓ、ＪＰＥＧ・Ｍ及びＪＰＥＧ・Ｓの間引き率は既知のものとしてフォトビューアー１２が予め保持していてもよいし、デジタルカメラ１０から基準画像を取得する都度取得してもよい。
【００４２】
フォトビューアー１２は、この場合も、基準画像の撮影の補助（ＳＴ６）においてデジタルカメラ１０へ送信する撮影の補助信号に、間引き撮影モードへの変更を促す警告を表示させるための信号か、または強制的に間引き撮影モードへ設定を変更させるための信号を、あわせて送信するようにしてもよい。
【００４３】
なお、デジタルカメラ１０は、基準画像の画像データをフォトビューアー１２へ送信した後、その画像データを保存せずに削除するようにしてもよい。これは、ＳＴ６でフォトビューアー１２がデジタルカメラに与えるコマンドに画像データを保存しない旨のコマンドを含めることで実現可能である。フォトビューアー１２においても、ＳＴ８の最大画素数抽出後に、基準画像の画像データを保存せずに削除してもよい。
【００４４】
また、フォトビューアー１２は、ＳＴ８において基準画像の（最大）画素数を算出する際、以下のように行ってもよい。例えば、フォトビューアー１２は、画像の総画素数（例えば２４，３８５，５３６ｄｏｔ）を水平方向及び垂直方向に対して所定の比率（例えば撮像範囲の比率）にそれぞれ分けた水平画素数及び垂直画素数（例えば６０４８ｄｏｔ×４８３２ｄｏｔ）を基準画像の最大画素数若しくは画素数として抽出することが好ましい。
【００４５】
なお、フォトビューアー１２は、基準画像から最大画素数を直接抽出し、又は画素数及び間引き率から最大画素数を算出して得た基準画像の最大画素数を、カメラデータ及び基準画像の最大画素数を互いに関連づけて得たデータを画素数テーブルファイルの新しいデータとして記憶手段に記憶させる（ＳＴ９）。
【００４６】
フォトビューアー１２は、図３のＳＴ１０に示すように、例えば絶対座標の換算手法により、基準画像の最大画素数をフォトビューアー１２のディスプレイ５の画素数に変換するための変換率を算出する。ここで、基準画像の最大画素数とは、上述のように最大画素数から直接得られた実際上の最大画素数だけでなく、逆算により得られた計算上の最大画素数でもよい。変換率の算出の一例として、基準画像の最大画素数が６０４８ｄｏｔ×４８３２ｄｏｔ（水平画素数×垂直画素数）、フォトビューアー１２の画素数が６４０ｄｏｔ×４８０ｄｏｔ（水平解像度×垂直解像度）のとき、変換率は水平方向と垂直方向との変換比を一定にしない場合は約１０．６％（水平変換率）×約１１．９％（垂直変換率）、水平方向と垂直方向との変換比を一定にする場合は例えば約１０．６％（水平変換率）から約１１．９％（垂直変換率）の間の変換比となる。
【００４７】
また、フォトビューアー１２は、デジタルカメラ１０からデジタルカメラ１０の最大画素数が取得できたときは（ＳＴ２）、その最大画素数を用いて変換率を算出する。
【００４８】
フォトビューアー１２は、図３のＳＴ１１に示すように、デジタルカメラ１０の最大画素数に基づいて生成されたベクターイメージに係るベクトルデータを抽出する。ベクターイメージとしては、１又は２以上のフォーカス枠若しくはフォーカスポイントその他のデジタルカメラ１０の最大画素数に基づいて生成されたベクトルデータを利用することにより表示されるイメージである。
【００４９】
フォトビューアー１２は、図３のＳＴ１２に示すように、変換処理（ＳＴ１２）において、ベクトルデータを変換率に応じて変換した変換データを生成する。その後、フォトビューアー１２は、この変換データに基づいて生成された変換ベクターイメージをディスプレイ５に表示させる。
【００５０】
このとき、フォトビューアー１２は、第二の設定で撮影した撮影画像が変換ベクターイメージの背後に重なるように表示してもよい。つまり、フォトビューアー１２は、変換ベクターイメージの背後に重なるように、デジタルカメラ１０が第二の設定で撮影した撮影画像の画像データ及びディスプレイ５の画素数に基づいて、撮影画像がディスプレイ５に表示されるように変換した変換撮影画像をディスプレイ５に表示させる。
【００５１】
ここで、第二の設定で撮影した撮影画像は、デジタルカメラ１０が投影するリアルタイム画像であってもよいし、デジタルカメラ１０が撮影した撮影画像であってもよい。このときのリアルタイム画像及び撮影画像の画素数は任意である。つまり、これらの画像の画素数が最大画素数であってもよいし、最大画素数から間引きされた画素数であってもよい。
【００５２】
これにより、ディスプレイ５に、デジタルカメラ１０が撮影した画像またはリアルタイム画像が表示され、さらにフォーカス枠などがその画像上に重ねて表示される。
【００５３】
図４は、ベクターイメージの変換処理及びディスプレイ５での表示例を示している。
【００５４】
同図は、最大画素数の画像の大きさに相当する最大画素数領域６、フォーカス枠７、撮影画像の大きさに相当する撮影画像領域８、及びディスプレイ５の表示領域９の相対的な大きさ及び位置の関係を示す。
【００５５】
フォーカス枠７のベクトルデータは、最大画素数における絶対座標で示されている。このとき、例えば、デジタルカメラ１０の最大画素数が６０４８ｄｏｔ×４８３２ｄｏｔ（水平画素数×垂直画素数）とする。この最大画素数が、図４では最大画素数領域６に相当する。さらに同図において、最大画素数に基づく絶対座標の左上頂点を原点（０、０）、絶対座標軸に対して右方および下方がＸ値の増加方向及びＹ値の増加方向としたとき、矩形のフォーカス枠（ベクターイメージ）７の基準点（フォーカス枠７の左上頂点）の座標が（２９７４，１９８６）、フォーカス枠７のサイズが（１００，６０）、表示画像を表示するディスプレイ５の表示領域９が６４０ｄｏｔ×４８０ｄｏｔ（水平解像度×垂直解像度）であり、最大画素数領域６の一部の領域のトリミングをした撮影画像領域８を表示する場合を考える。
【００５６】
また、水平方向と垂直方向との変換比を一定にするため、水平変換率をＸ座標及びＹ座標の変換率として変換処理に用いることにする。撮影画像の画素数はベクトルデータの変換に関連しないものとする。このような条件下において、変換処理後のフォーカス枠（変換ベクターイメージ）７ｔの左上頂点（基準点）の座標は１０．６％×（２０００，１０００）≒（２１２，１０６）、変換処理後のフォーカス枠７ｔのサイズは１０．６％×（１００，６０）≒（１１，６）となる。
【００５７】
以上の処理を経ることにより、本実施形態の画像表示制御装置１は、図３の処理終了ＳＴＦに示すように、表示画像制御処理を終了する（ＳＴＦ）。
【００５８】
次に、本実施形態のフォトビューアー１２の作用を説明する。
【００５９】
本実施形態のフォトビューアー１２においては、図３のＳＴ８並びに図４に示すように、基準画像（最大画素数領域６と同じサイズ）からその最大画素数若しくは画素数が抽出され、基準画像の最大画素数から表示画像９に係る画面解像度に変換するための変換率が算出される。これにより、デジタルカメラ１０からその最大画素数が取得できなくとも、デジタルカメラ１０が撮影した基準画像からその最大画素数が取得できるので、ベクターイメージ７を変換して得た変換ベクターイメージ７ｔをフォトビューアー１２の表示画面９に適切に表示することができる。
【００６０】
また、本実施形態のフォトビューアー１２においては、図３のＳＴ６に示した基準画像の撮影に係る指示信号又は強制撮影信号が送信されるので、操作者に基準画像の撮影が促されたり、自動的に撮影されたりする。
【００６１】
また、本実施形態のフォトビューアー１２において、取得されたカメラデータに抽出された基準画像の最大画素数を互いに関連づけて得たデータを画素数テーブルファイルの新しいデータとして記憶する。そのため、基準画像の撮影が以前行われたデジタルカメラ１０に対して基準画像の撮影を再度行うことを省略することができる。
【００６２】
また、本実施形態のフォトビューアー１２において、上記の画素数テーブルファイルは、特別な操作を行わなければ画素数テーブルファイルを人為的に変更することができないように記憶手段において記憶されている。そのため、画素数テーブルファイルが意図せずに人為的に変更されてしまうリスクを回避することができる。
【００６３】
また、本実施形態のフォトビューアー１２において、基準画像を保存することなく、または、所定時間経過後に削除される基準画像から、基準画像の最大画素数若しくは画素数を抽出する。そのため、補助記憶装置３ｂ等において基準画像の保存に必要な保存容量の無駄遣いを防止することができる。
【００６４】
そして、本実施形態のフォトビューアー１２において、画像の総画素数を水平方向及び垂直方向に対して所定の比率にそれぞれ分けた水平画素数及び垂直画素数を基準画像の最大画素数若しくは画素数として抽出するそのため、変換手段が水平方向及び垂直方向への変換を正確かつ容易に行うことができる。また、デジタルカメラ１０の最大画素数が画素数取得手段により直接取得できる場合においては、デジタルカメラ１０から直接取得したその最大画素数の表示形式と整合させることができる。
【００６５】
すなわち、本実施形態のフォトビューアー１２によれば、基準画像に基づいて得られた最大画素数から算出した変換率を用いて変換ベクターイメージをフォトビューアー１２に適切に表示するなどの上記した種々の作用を生じるので、デジタルカメラ１０からその最大画素数を取得することができない場合であっても変換ベクターイメージをフォトビューアー１２の表示画面に適切に表示することができるという効果を奏する。
【００６６】
なお、本発明は、前述した実施形態などに限定されるものではなく、必要に応じて種々の変更が可能である。
【００６７】
また、撮影画像は、最大画素数の画像の一部の領域の画像に限られず、最大画素数の画像であっても良いし、最大画素数の画像の範囲の中で間引きを行った画像であっても良い。
【００６８】
更には、基準画像から最大画素数を計算する必要は無く、ベクターイメージを適切に表示するために用いられるデジタルカメラの特徴量であれば所定条件の画素数やそれに所定の演算を行った値などでも良い。
【００６９】
画像表示制御装置もフォトビューアーに限られず、複数種類のデジタルカメラに接続可能な携帯電話やＰＣ等であっても良い。画像は自身の液晶モニター等の表示部に表示しても良いし、別の表示装置に表示させても良い。
【符号の説明】
【００７０】
１  画像表示制御装置
２  演算装置
４  周辺機器接続装置
５  ディスプレイ
６  最大画素数領域
７  変換処理前のフォーカス枠（ベクターイメージ）
７ｔ  変換処理後のフォーカス枠（変換ベクターイメージ）
８  撮影画像領域
９  表示領域
１０  デジタルカメラ
１１  ＵＳＢケーブル
１２  フォトビューアー
【図１】
2011188460.tif 000003
【図２】
2011188460.tif 000004
【図３】
2011188460.tif 000005
【図４】
2011188460.tif 000006